(57)【要約】【課題】床パンの床パン支持架台への配置施工を施工性よく行わせることのできる床パンの配置構造を提供する。【解決手段】建物躯体の土台３間に架設した金属製の床パン支持架台２の上に、床パン１の下面に突設した金属製の脚部材８を載設することで床パン１を建物躯体に配置する床パン１の配置構造である。横片１５と１対の縦片１６とから成り下方に開口する縦断面コ字状の脚受け部材１４を床パン支持架台２に上から被せて配置する。脚受け部材１４の横片１５の下面と床パン支持架台２の上面との間にスペーサ１９を介装する。脚受け部材１４の縦片１６に設けた上下に長い長孔１８にビス等の固定具２０を挿通して脚受け部材１４と床パン支持架台２とを固定する。脚受け部材１４の上面に床鳴り防止シート１７を貼着する。床鳴り防止シート１７上に床パン１の脚部材８を載設する。【選択図】　　　　図１
2004060239.tif 000002
【特許請求の範囲】
【請求項１】
建物躯体の土台間に架設した金属製の床パン支持架台の上に、床パンの下面に突設した金属製の脚部材を載設することで床パンを建物躯体に配置する床パンの配置構造において、横片と１対の縦片とから成り下方に開口する縦断面コ字状の脚受け部材を床パン支持架台に上から被せて配置し、脚受け部材の横片の下面と床パン支持架台の上面との間にスペーサを介装し、脚受け部材の縦片に設けた上下に長い長孔にビス等の固定具を挿通して脚受け部材と床パン支持架台とを固定し、脚受け部材の上面に床鳴り防止シートを貼着し、この床鳴り防止シート上に床パンの脚部材を載設して成ることを特徴とする床パンの配置構造。
【発明の詳細な説明】
【０００１】
【発明の属する技術分野】
本発明は、床パンの配置構造に関する発明であり、詳しくは土台に架設した床パン支持架台に床パンを配置する技術に関するものである。
【０００２】
【従来の技術】
従来から、床パン１を建物躯体に配置するには、建物躯体の土台３間に床パン支持架台２を架設し（図５参照）、床パン１の下面に脚部材８を突設し（図６参照）、そして、図７に示すように、床パン支持架台２の上に床パン１の脚部材８を載設することで行われている。この床パン支持架台２や脚部材８は構造材としての高強度性能が求められるから、一般的に高強度の金属で製造されることが多い。この場合、床パン支持架台２の上に床パン１の脚部材８を直接載設すると、床パン支持架台２と脚部材８との間で金属同士の接触による異音（床鳴り）が少なからず発生してしまうのである。しかして、脚部材８が載設される床パン支持架台２の上面には、金属同士の接触を防止して床鳴りを防止する床鳴り防止シート１７を貼着し、この床鳴り防止シート１７の上に脚部材８を載設するようにして、床パン支持架台２と脚部材８との間の異音発生を抑止するようにしていた。
【０００３】
【発明が解決しようとする課題】
しかしながら、床パン支持架台２上に載設する床パン１にあっては、床パン１の高さ調節及び水平調整が必要不可欠であり、この高さ調節及び水平調整作業は、通常、床パン支持架台２上と床パン１の脚部材８との間に、適宜な上下厚みを有するスペーサ１９を介装させることで行われる。スペーサ１９は、図８に示すように床パン支持架台２上に載設するものであり、床鳴り防止シート１７はこのスペーサ１９の上から貼着される。しかして、床パン１を床パン支持架台２上に配設するには、一旦床パン支持架台２上に床パン１を載設し、床パン１の高さ調節及び水平調整作業である床パン支持架台２上へのスペーサ１９の配置を行い、その後、床パン１を床パン支持架台２上から取り外して床鳴り防止シート１７をスペーサ１９の上面に貼着し、そして、ふたたび床パン１を床パン支持架台２上に配置するといった施工が為されるが、この施工作業には手間や時間がかかるといった問題を有するものであり、床パン１の床パン支持架台２への配置作業を施工性良く行わせることのできる床パン１の配置構造が切望されている。
【０００４】
本発明は上記の点に鑑みてなされたものであり、床パンの床パン支持架台への配置施工を施工性よく行わせることのできる床パンの配置構造を提供することを課題とするものである。
【０００５】
【課題を解決するための手段】
上記課題を解決するために本発明に係る床パンの配置構造は、建物躯体の土台３間に架設した金属製の床パン支持架台２の上に、床パン１の下面に突設した金属製の脚部材８を載設することで床パン１を建物躯体に配置する床パン１の配置構造において、横片１５と１対の縦片１６とから成り下方に開口する縦断面コ字状の脚受け部材１４を床パン支持架台２に上から被せて配置し、脚受け部材１４の横片１５の下面と床パン支持架台２の上面との間にスペーサ１９を介装し、脚受け部材１４の縦片１６に設けた上下に長い長孔１８にビス等の固定具２０を挿通して脚受け部材１４と床パン支持架台２とを固定し、脚受け部材１４の上面に床鳴り防止シート１７を貼着し、この床鳴り防止シート１７上に床パン１の脚部材８を載設して成ることを特徴とする。
【０００６】
これにより、床パン１の床パン支持架台２への配置施工は、土台３間に架設した床パン支持架台２に脚受け部材１４を上から被した状態で、長孔１８にビス等の固定具２０を挿通させて床パン支持架台２に打入し、脚受け部材１４と床パン支持架台２とを上下移動自在に仮止めしておき、そして、予め床鳴り防止シート１７を貼着してある脚受け部材１４の横片１５上に床パン１の脚部材８を載置し、脚受け部材１４の横片１５上に脚部材８を載置したまま脚受け部材１４を上下にスライドさせ、脚受け部材１４の横片１５の下面と床パン支持架台２の上面との間に適宜上下厚みを有するスペーサ１９を介装し、最後に、脚受け部材１４の縦片１６の長孔１８に挿通してある固定具２０を締め付け、脚受け部材１４と床パン支持架台２とを固定するようにして行われるのである。つまり、この床パン１の床パン支持架台２への配置施工にあっては、従来技術にある、床パン１の高さ調節及び水平調整作業の後に、床パン支持架台２の上に載置した床パン１を取り外して床鳴り防止シート１７を貼着し、その後、ふたたび床パン支持架台２の上に床パン１を載置するといった煩雑な施工作業を無くすることができることから、施工性よく床パン１を床パン支持架台２に配置することができるのである。
【０００７】
【発明の実施の形態】
以下、本発明を添付図面に示す実施形態に基づいて説明する。
【０００８】
図１乃至図６に本発明の実施の形態の例を示す。図１，２には床パン１を建物躯体に配置した状態の正面断面図を示し、図３には床パン１の脚部材８を受ける脚受け部材１４の斜視図を示し、図４には床パン１の高さ調節及び水平調整作業を説明する説明図を示す。
【０００９】
床パン１を建物躯体に配設するには、まず、図５に示すように床パン１を載置させる床パン支持架台２を、建物基礎２４や建物基礎２２から立設した束柱２３などの上に載設された土台３間に複数架設する。この床パン支持架台２は、床パン１を載置する架台本体部４と、この架台本体部４の両端からそれぞれ上方に突設した立ち上がり片５と、この立ち上がり片５の上端で水平に折り曲げて延設した土台載置片６とから構成されている。ここで、架台本体部４は断面矩形状の金属製のバー材で形成され、立ち上がり片５や土台載置片６は金属製の板材で形成されている。そして、この床パン支持架台２を土台３に架設するには、土台３間に架台本体部４を位置させて土台載置片６を土台３上に載置し、土台載置片６の上から土台３にボルト等の固定具７を打入することで行われる。
【００１０】
床パン１は、図６に示すように、その下面の複数箇所に脚部材８を突設して構成されている。脚部材８は、底片部９の両端から外斜め上方に斜片部１０をそれぞれ立設し、各斜片部１０の上端部位から水平外方にフランジ片部１１を延設して構成された略Ｕ字状の金属片である。この脚部材８は床パン１や床パン１に載る構造物や人の体重を支えることから耐荷重性が要求される構造材であり、脚部材８を構成する金属片全体に凹凸１２が施されていて剛性強度の向上が図られている。なお、底片部９の斜片部１０を連出しない側の両端部にはそれぞれ脱落防止用の下向き片２１が下方に突設されている。この脱落防止用の下向き片２１は床パン支持架台２上に脚部材８を確実に載置させるためのものである。そして、この脚部材８を床パン１の下面に取り付けるには、脚部材８のフランジ片部１１を床パン１の下面に沿わせ、ビス等の固定具１３を打入してフランジ片部１１を床パン１の下面に固定させることで行われる。
【００１１】
上述したように床パン１は土台３間に架設した床パン支持架台２上に載設されて建物躯体に配置されるのであるが、本例では、図３に示す脚受け部材１４を床パン支持架台２に上から被せるように被着しておき、この脚受け部材１４の上に床パン１の脚部材８を載置することで行われる。ここで、脚受け部材１４は、横片１５の両側端から縦片１６を垂下させて成る、下方に開口せる金属製のチャンネル材で構成されている。そして、横片１５の上面にはゴムなどのクッション性を備えた樹脂板材で構成された床鳴り防止シート１７が貼着されており、縦片１６には上下に長い長孔１８が穿設されている。この長孔１８は、床パン支持架台２に打入したセルフタッピングビス等の固着具２０が挿通される部位である。
【００１２】
しかして、床パン支持架台２に脚受け部材１４を被せ、長孔１８に挿通した固着具２０を床パン支持架台２に途中まで打入しておくと、脚受け部材１４は床パン支持架台２に対して上下に移動自在に被着される。そして、床パン１の脚部材８は、この床パン支持架台２に仮止めされた脚受け部材１４上に載置するのであるが、このときこの脚部材８は床鳴り防止シート１７上に載置され、メタルタッチが回避されて床鳴りの発生が抑えられるのである。
【００１３】
そして、脚受け部材１４を介して床パン支持架台２上に載置した床パン１には、高さ調節及び水平調整が施される。この高さ調節及び水平調整作業は、床パン１を脚受け部材１４上に載置したままに脚受け部材１４を上下にスライドさせ、図４に示すように、脚受け部材１４の横片１５の下面と床パン支持架台２の上面との間に、適宜の上下厚さを有するスペーサ１９を介装することで行われる。そして、この高さ調節及び水平調整作業の後には、脚受け部材１４の縦片１６の長孔１８に挿通してあるビス等の固定具２０を締め付けてゆき、脚受け部材１４と床パン支持架台２とを固定するのであり、これにより床パン１を建物躯体に配置する一連の施工作業が修了する。
【００１４】
ここで、本例では、固定具２０にセルフタッピングビスを用いた例を説明したが、たとえばあらかじめ床パン支持架台２にねじ孔（図示せず）を穿設しておき、固定具２０にこのネジ孔に螺入するボルトを用いてもよいものである。いずれの例にしても、床パン支持架台２に脚受け部材１４を仮止め配置した状態では脚受け部材１４の床パン支持架台２の長手方向へのずれを防止できるのであって、施工作業中に脚受け部材１４に水平方向に衝撃が加わっても、脚受け部材１４が床パン支持架台２の長手方向にずれたりすることを防止できるといった利点がある。
【００１５】
このように、本例の床パン１の配置構造にあっては、土台３間に架設した床パン支持架台２に脚受け部材１４を上から被して長孔１８に挿通した固定具２０によって仮止めし、予め床鳴り防止シート１７を貼着してある脚受け部材１４の横片１５上に床パン１の脚部材８を載置し、脚受け部材１４の横片１５上に脚部材８を載置したまま脚受け部材１４を上下にスライドし、脚受け部材１４の横片１５の下面と床パン支持架台２の上面との間にスペーサ１９を介装し、脚受け部材１４の長孔１８に挿通してある固定具２０を締め付け、脚受け部材１４と床パン支持架台２とを固定するといった施工作業で、床パン１を建物躯体に配置することができるのである。
【００１６】
この床パン１の建物躯体への配置施工にあっては、従来技術にある、床パン１の高さ調節及び水平調整作業の後に、床パン支持架台２の上に載置した床パン１を取り外し、床鳴り防止シート１７を貼着し、その後再び床パン１を床パン支持架台２の上に載置するといった煩雑な施工作業を無くすることができるので、施工性よく床パン１を建物躯体に配置することができるようになっている。
【００１７】
また、従来技術にあっては、床鳴り防止シート１７の貼着は現場施工で行うようにされており、これによると床鳴り防止シート１７のスペーサ１９の上面への貼着作業の折には、床鳴り防止シート１７とスペーサ１９との間に空気が入ったりして床鳴り防止シート１７の貼着不良が生じ易く、この場合には床パン１の水平に誤差などが生じてしまうのである。この床パン１に水平誤差が生じた場合には、その都度手間のかかる施工作業を始めからやり直さねばならないものであったが、本例では床鳴り防止シート１７は現場施工で貼着されるものではないことから、床鳴り防止シート１７の貼着不良によって施工作業をやり直しする恐れも回避されており、これによっても施工性の向上が図られているのである。
【００１８】
【発明の効果】
上記のように本発明にあっては、建物躯体の土台間に架設した金属製の床パン支持架台の上に、床パンの下面に突設した金属製の脚部材を載設することで床パンを建物躯体に配置する床パンの配置構造において、横片と１対の縦片とから成り下方に開口する縦断面コ字状の脚受け部材を床パン支持架台に上から被せて配置し、脚受け部材の横片の下面と床パン支持架台の上面との間にスペーサを介装し、脚受け部材の縦片に設けた上下に長い長孔にビス等の固定具を挿通して脚受け部材と床パン支持架台とを固定し、脚受け部材の上面に床鳴り防止シートを貼着し、この床鳴り防止シート上に床パンの脚部材を載設したので、土台間に架設した床パン支持架台に脚受け部材を上から被し、脚受け部材の縦片の長孔にビス等の固定具を挿通して床パン支持架台に打入し、脚受け部材を床パン支持架台に対して上下移動可能にした仮止め状態にし、予め床鳴り防止シートを貼着してある脚受け部材の横片上に床パンの脚部材を載置し、脚受け部材の横片上に脚部材を載置したまま脚受け部材を上下にスライドさせ、脚受け部材の横片の下面と床パン支持架台の上面との間にスペーサを介装し、脚受け部材の長孔に挿通してある固定具を強く締め付けて脚受け部材と床パン支持架台とを固定することで、床パンを建物躯体に配置することができるのであって、つまり、従来技術にある、床パン支持架台の上に載置した床パンを一旦取り外して床鳴り防止シートを貼着し、その後ふたたび床パン支持架台の上に床パンを載置するといった煩雑な施工作業を無くすることができるので、施工性よく床パンを建物躯体に配置することが可能にされているのである。
【図面の簡単な説明】
【図１】本発明の実施の形態の例の床パンの配置構造の正面断面図である。
【図２】図１の要部拡大図である。
【図３】同上の脚受け部材の斜視図である。
【図４】同上の床パンの水平調整作業を説明する説明図である。
【図５】同上の土台への床パン支持架台の架設を説明する説明図である。
【図６】同上の床パンの下面方向からの斜視図である。
【図７】従来技術の床パンの配置構造の正面断面図である。
【図８】（ａ）は図７の要部拡大図であり、（ｂ）は（ａ）の側面断面図である。
【符号の説明】
１　床パン
２　床パン支持架台
３　土台
８　脚部材
１４　脚受け部材
１５　横片
１６　縦片
１７　床鳴り防止シート
１８　長孔
１９　スペーサ
２０　固定具
【図１】
2004060239.tif 000003
【図２】
2004060239.tif 000004
【図３】
2004060239.tif 000005
【図４】
2004060239.tif 000006
【図５】
2004060239.tif 000007
【図６】
2004060239.tif 000008
【図７】
2004060239.tif 000009
【図８】
2004060239.tif 000010